(57)【要約】【課題】必要最小限のキー配列にすることで、これまでQWERTY配列のキーボードを苦手としていた人にストレスのない快適な文字入力環境を提供することを可能にする。【解決手段】２タッチ入力式キーボード装置であって、中央から順番に右に向かって１から５までの５つのキーが、中央から順番に左に向かって６から０までの５つのキーが、全体として横一列に並ぶように配置されている。【選択図】図１
2012064127.tif 000002
【特許請求の範囲】
【請求項１】
２つの数字の組合せで１つの文字に対応させる２タッチ入力キーボード装置であって、
中央から順番に右に向かって１から５までの５つのキーが、前記中央から順番に左に向かって６から０までの５つのキーが、全体として横一列に並ぶように配置されていることを特徴とする２タッチ入力キーボード装置。
【請求項２】
２つの数字の組合せで１つの文字に対応させる２タッチ入力キーボード装置であって、
中央から順番に右に向かって６から０までの５つのキーが、前記中央から順番に左に向かって１から５までの５つのキーが、全体として横一列に並ぶように配置されていることを特徴とする２タッチ入力キーボード装置。
【請求項３】
さらに、入力変換キーが、前記横一列の上側又は下側に配置されていることを特徴とする請求項１又は２に記載の２タッチ入力キーボード装置。
【請求項４】
前記中央に、１と６のキーを離間する隙間が形成されていることを特徴とする請求項１から３までのいずれか１項に記載の２タッチ入力キーボード装置。
【発明の詳細な説明】
【技術分野】
【０００１】
本発明は、２つの数字の組合せで１つの文字に対応させる、２タッチ入力キーボード装置に関する。
【背景技術】
【０００２】
キーボード装置は、文字入力装置としてパーソナルコンピュータ、携帯電話をはじめとした様々な装置に搭載されている。現在主流となっているキーボードのキー配列であるQWERTY配列は、キーの数が多すぎてスムーズな文字入力ができない人がいる。図１０は、QWERTY配列のキーボードのキー配列例を示す図である。図１０に示すように、QWERTY配列のキーボードは、アルファベットと数字とを含む横方向に多数のキーが並ぶ４行のキー配置を有している。
【０００３】
また、簡易的なキーボード入力方法として、携帯電話を用いた場合には、数字キーを使った４行３列の操作キーを用いた入力が主として行われるが、片手で小さな数字キーを押すことになるため、必ずしも使いやすいとはいえない。
尚、本発明に関連する公知技術文献としては下記先行技術文献がある。
【先行技術文献】
【非特許文献】
【０００４】
【非特許文献１】http://kanji.zinbun.kyoto-u.ac.jp/~yasuoka/publications/ISCIE2003.pdf
【非特許文献２】http://kanji.zinbun.kyoto-u.ac.jp/~yasuoka/publications/ISCIE2004.pdf
【発明の概要】
【発明が解決しようとする課題】
【０００５】
パソコンに付属のキーボードは、QWERTY配列と呼ばれるキー配列で英字キー26字に数字キーや記号キーを搭載したものが主流となっている。また携帯電話やスマートフォンなどの小型情報端末においては、スペースが狭いという問題から、パソコン用のキーボードは搭載できない。パソコン向けのQWERTY配列のキーボードを小型情報端末に搭載している場合もあるが、１つ１つのキーが小さく、決して使いやすいとはいえないのが現状である。
【０００６】
パソコンに不慣れな人は、キーの数が多すぎて入力する文字のキーの位置を探すため入力に時間がかかっている。また、携帯電話やスマートフォンでは、スペースの問題から数字キーで文字入力を行うものや、QWERTY配列を採用しながらもキーの大きさが極端に小さいものなどがあるが、いずれも文字入力がしづらいという問題がある。
【０００７】
本発明の目的は、必要最小限のキー配列にすることで、これまでQWERTY配列のキーボードや携帯電話のキー入力を苦手としていた人にストレスのない快適な文字入力環境を提供することにある。
【課題を解決するための手段】
【０００８】
本発明の一観点によれば、２つの数字の組合せで１つの文字に対応させる２タッチ入力キーボード装置であって、中央から順番に右に向かって１から５までの５つのキーが、前記中央から順番に左に向かって６から０までの５つのキーが、全体として横一列に並ぶように配置されていることを特徴とする２タッチ入力式キーボード装置が提供される。
【発明の効果】
【０００９】
本発明の２タッチ入力キーボード装置は、次のような効果がある。
（１）キーの数が少なく、かつ、規則であるため、キー配列を覚えることが容易である。
（２）キーの数が少ないため、文字入力のときにキーを探す時間が短縮できる。
（３）キーの数が少ないため、携帯電話やスマートフォンといった小型情報端末に搭載した場合にキーの大きさを確保でき、入力しやすい環境を提供できる。
（４）キーの配列が横一列のため、文字を入力するときに指を縦に移動する必要がなく素早い文字入力が可能となる。また、視線移動も少なくて済む。
【図面の簡単な説明】
【００１０】
【図１】本発明の一実施の形態による２タッチ入力キーボード装置のキー配列例を示す図である。
【図２】本発明の一実施の形態によるパソコン用キーボードに２タッチ入力キーボード装置を搭載した具体例を示す図である。
【図３】本発明の一実施の形態による携帯電話、スマートフォンなどの小型情報端末に２タッチ入力キーボード装置を搭載した具体例の図である。
【図４】２タッチ入力キーボード装置の一構成例を示す機能ブロック図である。
【図５】全角のひらがなモードで文字を入力した場合の入力キーに対応する出力図である。
【図６】半角のひらがなモードで文字を入力した場合の入力キーに対応する出力図である。
【図７】記号モードで文字を入力した場合の入力キーに対応する出力図である。
【図８】数字モードの場合の入力キーの対応表である。
【図９】入力キーに対応する文字に変換する処理の流れを示すフローチャート図である。
【図１０】一般的なキーボードのキー配列の一例を示す図である。
【発明を実施するための形態】
【００１１】
以下、本発明の一実施の形態による２タッチ入力キーボード装置について図面を参照しながら説明を行う。
【００１２】
一般に、２タッチ入力とは、文字入力方法の一種であり、数字キーを２回押すことにより、２つの数字の組合せでカナ・英数字・特殊文字等の１文字に対応させる方式で、「ポケベル方式」「２キー入力」等とも呼ばれている。
【００１３】
本発明の２タッチ入力キーボード装置は、２タッチ入力をするためにキーの数を文字入力用に１０個、入力モード変更用に４個とし、このキーボードから入力されたキーを解析し、入力された２つのキーをもとに対応する文字を出力するプログラムを設けたものである。以下においては、キー配列に着目して説明を行う。
【００１４】
図１は、本実施の形態による２タッチ入力キーボード装置Ａのキー配列例を示す図であり、キー群１０は、文字入力キーと変換キーとからなる。１０の文字入力キー１１ａ、１１ｂ、１１ｃ、１１ｄ、１１ｅ、１１ｆ、１１ｇ、１１ｈ、１１ｉ、１１ｊは、ひらがな、カタカナ、数字、英字を入力するときに使用する。文字入力時には、入力する文字の種類によって、入力モードを切り替える必要がある。半角と全角との切り替えを行う場合は半角/全角キー１２を押下する。ひらがな、カタカナおよび英字を入力する場合は、ひらがなキー１３を押下する。記号を入力する場合は、記号キー１４を押下する。数字を入力する場合は、数字キー１５を押下する。数字については、ひらがなキー１３で切り替えた入力モードでも入力が可能である。文字入力キーは、１から５までの１タッチ目のキーと、６から０までの２タッチ目のキーとの１０個のキーからなり、中央にやや広めの空間１６を有している。すなわち、１と６のキーを離間する隙間が形成されている。この隙間により、右手と左手との人差し指の干渉を防止すると共に、ブラインドタッチにおける押し間違いを防止している。
【００１５】
キー１１ａ、１１ｂ、１１ｃ、１１ｄ、１１ｅは、それぞれ、左から順番に１、２、３、４、５を右手の指で、キー１１ｆ、１１ｇ、１１ｈ、１１ｉ、１１ｊは、それぞれ、右から順番に６、７、８、９、０を、左手の指で入力することを想定したキー配列となっている。すなわち、左右対称のキー配列になっている。左から順番に１、２、３、４、５を左手の指で、右から順番に６、７、８、９、０を、右手の指で押す配置になっていても良い（反転配置と称する）。
【００１６】
また、数字キーの配列は、両手の人差し指から小指にわたって、数字が昇順になるように配置している。親指での操作は基本的には考慮していない。５つのキーを人差し指から順番に４本の指で操作することを考慮しており、指をずらしながら、すなわち、右手を右方向に、左手を左方向に、それぞれずらしながら端のキー１１ｅ、１１ｊを操作する。キー１つ分の移動であるから比較的楽な操作になる。この操作は、ピアノの鍵盤を操作している場合と類似した操作になる。入力変換キー１２から１５までが、横一列の数字キーの配置の上側に隣接して配置されている。下側など隣接して設けられていれば良い。これらのキーも、人差し指等で移動を少なくして楽に打鍵することができる。
【００１７】
尚、入力変換キーは、ひらがなモード、記号モード等を切り替えて、入力できる文字の種類を増やすために設けられているものなので、例えば、ひらがな、英数字、特殊文字の一部のみを全角で入力できれば良いキーボード装置においては、入力変換キーは特に設けなくても良い。
【００１８】
図２は、パソコン用キーボードＢに２タッチ入力キーボード装置を搭載した具体例を示す図であり、２タッチ入力キーボード装置のキー配列については、図１と同様である。その他のキー配列は、一般的なキーボード装置と同様である。
【００１９】
図３は、携帯電話、スマートフォンなどの小型情報端末Ｃに設けられた２タッチ入力キーボード装置の配置例を示す図であり、ここでは、２つの筐体のうちの一方に表示部２３が設けられ、もう一方の筐体をスライドさせて、２タッチ入力キーボード装置１０が設けられている携帯端末の例を示す図であり、２タッチ入力キーボード装置のキー配列については、図１のキー配列と同様である。尚、この場合には、筐体を手で把持し、全てのキーを親指で押すと操作がしやすいように構成されている。もちろん、親指を除く４本の指で押すように操作しても良い。
【００２０】
このように、本発明のキーボード装置は、パソコンのキーボード装置のように凸形状のキーが並んでいる場合のみならず、図３のように、タッチパネル式の平坦なキーが並んでいるキーボード装置にも適用できる。
【００２１】
図４は、２タッチ入力キーボード装置２０のシステム構成例を示す機能ブロック図であり、入力部１０から２タッチで入力されたキーを、データ処理部２１において、入力された２つのキーに関して、変換テーブル５０等を用いて対応する文字等に変換し、表示部２３に出力する。
【００２２】
図５は、ひらがなモードで全角入力する場合の入力キーの対応表５０ａの一例を示す図である。１打目５１に入力したキーに対応するキー５２と２打目５３に入力したキーに対応するキー５４から、該当する文字を決定する。例えば、１打目に「３」を、２打目に「２」を入力した場合は、「し」の文字となる。
【００２３】
図６は、ひらがなモードで半角入力する場合の入力キーの対応表５０ｂの一例を示す図である。１打目６１に入力したキーに対応するキー６２と、２打目６３に入力したキーに対応するキー６４から、該当する文字を決定する。例えば、１打目に「７」を、２打目に「５」を入力した場合は、「モ」の文字となる。
【００２４】
図７は、記号モードの場合の入力キーの対応表５０ｃの一例を示す図である。１打目７１に入力したキーに対応するキー７２と、２打目７３に入力したキーに対応するキー７４から、該当する文字を決定する。例えば、１打目に「２」を、２打目に「７」を入力した場合は、「＠」の文字となる。記号モードの場合は全角と半角の区別はない。
【００２５】
尚、図５〜図７の対応表は一例であり、これら以外の対応表であっても良い。また、変換キーを追加することにより、英数字、かな、特殊文字以外の文字（例えば、ギリシャ文字等）を入力できるようにしても良い。
【００２６】
図８は、数字モードの場合の入力キーの対応表である。数字モードの場合は１打目の入力で文字が決定する。
【００２７】
図９は、２タッチ入力キーボード装置からキーが入力されたときの処理部における処理の概要を示すフローチャート図である。まず、２タッチ入力キーボード装置から入力されたキーの判定(ステップ９１)を行う。「半角/全角」キーが押下された場合は、入力モード変更処理(ステップ９２)で半角と全角を切り替える。「ひらがな」キーが押下された場合であって、かつ、全角の場合は入力モード変更処理(ステップ９２)で図５のデータを読み込み、半角の場合は図６のデータを読み込む。「記号」キーが押下された場合は図７のデータを読み込む。「数字」キーが押下された場合は図８のデータを読み込む。「１」から「０」までの数字キーが押下された場合は、文字判定処理(ステップ９３)で、入力モードに対応し２タッチの数字を文字等に変換し、変換した文字等を出力し(ステップ９４)、処理を終了する（ＥＮＤ：ステップ９５）。
【００２８】
本実施の形態によるキーボード装置においては、以下の効果がある。
（１）キーの数が少ないため、キー配列を覚えることが容易である。
（２）キーの数が少ないため、文字入力のときにキーを探す時間が短縮できる。
（３）キーの数が少ないため、携帯電話やスマートフォンなどの小型情報端末に搭載した場合にキーの大きさを確保でき、入力しやすい環境を提供できる。
（４）キーの配列が横一列のため、文字を入力するときに指を縦に移動する必要がなく素早い文字入力が可能となる。
（５）親指以外の４本の指を横方向に少しずらしながらキーを押していく操作になり、また、縦方向への指の移動がないため、指の移動を小さくしつつ、素早く打鍵することができる。
（６）左右対称のキー配列になっており、かつ、数字も、１〜５までと、６〜０までとの折り返しの配列となっているため、キー配列を覚えやすく、ブラインドタッチでの入力が簡単にできる。
【産業上の利用可能性】
【００２９】
本発明は、キーボード装置に利用可能である。
【符号の説明】
【００３０】
10・・・入力部、11a・・・キー[1]、11b・・・キー[2]、11c・・・キー[3]、11d・・・キー[4]、11e・・・キー[5]、11f・・・キー[6]、11g・・・キー[7]、11h・・・キー[8]、11i・・・キー[9]、11j・・・キー[0]、12・・・キー[半角/全角]、13・・・キー[ひらがな]、14・・・キー[記号]、15・・・キー[数字]、21・・・データ処理部、23・・・表示部、50…変換テーブル。
【図１】
2012064127.tif 000003
【図２】
2012064127.tif 000004
【図３】
2012064127.tif 000005
【図４】
2012064127.tif 000006
【図５】
2012064127.tif 000007
【図６】
2012064127.tif 000008
【図７】
2012064127.tif 000009
【図８】
2012064127.tif 000010
【図９】
2012064127.tif 000011
【図１０】
2012064127.tif 000012